(57)【要約】【課題】  複数の移動放送局の位置を、リアルタイムで地図上に表示することができる表示制御装置および表示制御方法を提供すること。【解決手段】  実施形態によれば、表示制御装置は、複数の移動放送局から送信された各信号から、複数の移動放送局の位置情報および識別情報を取得する取得部と、取得された位置情報に対応する位置に、識別情報が表示された地図を表示させる表示制御部とを備える。【選択図】図２
2019092047.tif 000002
【特許請求の範囲】
【請求項１】
複数の移動放送局から送信された各信号から、前記複数の移動放送局の位置情報および識別情報を取得する取得部と、
前記取得された位置情報に対応する位置に、前記識別情報が表示された地図を表示させる表示制御部と、
を備える表示制御装置。
【請求項２】
前記表示制御部は複数の地図を同時に表示させ、
前記複数の地図のうちの１つは、前記複数の移動放送局のすべての識別情報が表示された地図であり、前記複数の地図のうちの他の少なくとも１つは、前記複数の移動放送局のうちの一部が表示された地図である、請求項１に記載の表示制御装置。
【請求項３】
前記信号は、前記移動放送局の位置情報および識別情報が重畳されたオーダワイヤ信号を含む、請求項１または２に記載の表示制御装置。
【請求項４】
前記取得部は、前記位置情報および識別情報に、タイムスタンプを加えたログ情報を生成し、前記ログ情報を記憶部へ記憶させる、請求項１に記載の表示制御装置。
【請求項５】
前記表示制御部は、前記記憶部に記憶されたログ情報に基づいて、指定された過去の任意の時間における、前記識別情報が表示された地図を表示させる第１の履歴表示制御部を備える、請求項４に記載の表示制御装置。
【請求項６】
前記表示制御部は、前記記憶部に記憶されたログ情報に基づいて、指定された移動放送局の移動履歴が表示された地図を、前記モニタ画面から表示させる第２の履歴表示制御部を備える、請求項４に記載の表示制御装置。
【請求項７】
前記表示制御部は、前記識別情報が表示された地図が表示されている移動放送局のうち、何れかの移動放送局から、予め定めた期間、前記オーダワイヤ信号が送信されなくなった場合、この移動放送局の識別情報の前記地図における表示を終了させる、請求項３に記載の表示制御装置。
【請求項８】
プロセッサによって実施される表示制御方法であって、
前記プロセッサが、複数の移動放送局から送信された各信号から、前記複数の移動放送局の位置情報および識別情報を取得し、
前記プロセッサが、前記取得された位置情報に対応する位置に、前記識別情報が表示された地図を表示させる、表示制御方法。
【発明の詳細な説明】
【技術分野】
【０００１】
本発明の実施形態は、複数の移動放送局の位置を地図上に表示させるための表示制御装置および表示制御方法に関する。
【背景技術】
【０００２】
近年、テレビ業界では、現場に赴いた移動放送局から、通信衛星を経由して報道素材伝送や中継を行うＳＮＧ（Satellite News Gathering）システムが広く用いられている。
【０００３】
通信衛星を用いる通信は、移動放送局から直接、映像や音声などの情報を通信衛星へ送り、通信衛星を経由して放送事業者の本局のような固定放送局へ送る仕組みになっている。このため、地上に中継点を設ける必要がない。
【０００４】
このような利便性から、現場からの情報（事件、天気予報、災害情報等）をリアルタイムの映像とともに伝えるため、あるいは、スポーツの試合やコンサート等のイベントの現地からの生中継等のために、各放送事業者とも、多数の移動放送局を保有している。
【先行技術文献】
【特許文献】
【０００５】
【特許文献１】特開平１−２５４０１０号公報
【発明の概要】
【発明が解決しようとする課題】
【０００６】
しかしながら、各放送事業者が、多数の移動放送局を保有していることに関し、以下のような問題がある。
【０００７】
放送事業者は報道の目的から、保有する移動放送局を全国各地に移動させなければならない。事件等が発生した場合、本局では、現場に最も近い位置に配備された移動放送局に対して、現場に移動するように指示する必要がある。事件の内容によっては、１つの現場に対して、複数の移動放送局を配備しなければならない場合もある。このため、本局では、各移動放送局の現在位置をリアルタイムで把握しておく必要がある。
【０００８】
一般的に本局は、各移動放送局の移動計画を把握しており、また、各移動放送局と電話等により連絡をしているので、各移動放送局の位置をある程度把握している。しかしながら、移動放送局はある中継場所から中継場所へ移動する際、放送設備の調整や終了作業に要する時間や、移動時間や移動経路といった交通事情など不確定な要素を避けることができないため、本局が各移動放送局の位置をリアルタイムで把握している訳ではない。
【０００９】
したがって、例えば移動放送局を直ちに現場へ急行させたい場合であっても、本局は、どの移動放送局に対して指示を出すべきかを迅速に決定できない。そして、必ずしも適切とは言えない移動放送局に対して移動指示してしまう可能性もある。
【００１０】
本発明が解決しようとする課題は、複数の移動放送局の位置をより正確に把握することができる表示制御装置および表示制御方法を提供することである。
【課題を解決するための手段】
【００１１】
上記の目的を達成するために、本発明では、以下のような手段を講じる。
【００１２】
実施形態の表示制御装置は、複数の移動放送局から送信された各信号から、複数の移動放送局の位置情報および識別情報を取得する取得部と、取得された位置情報に対応する位置に、識別情報が表示された地図を表示させる表示制御部とを備える。
【図面の簡単な説明】
【００１３】
【図１】本発明の実施形態の表示制御装置が適用されるシステムの構成例を示す機能ブロック図である。
【図２】本発明の実施形態の表示制御装置の構成例を示すブロック図である。
【図３】モニタ画面から２つの地図が同時に表示された例を示す模式図である。
【図４】ローカル地図に移動履歴が表示された例を示す模式図である。
【図５】本発明の実施形態の表示制御装置の動作例を示すフローチャートである。
【発明を実施するための形態】
【００１４】
以下に、本発明の実施形態の表示制御方法が適用された表示制御装置を図面を参照して説明する。
【００１５】
図１は、本発明の実施形態の表示制御装置が適用されるシステムの構成例を示す機能ブロック図である。
【００１６】
複数の移動放送局８は、通信衛星９を経由して、システム１０へ向けて信号を送信する。
【００１７】
これら移動放送局８は、それぞれ車両番号のような固有の識別情報が付されている。また、ＧＰＳ受信機のような測位手段が備えられている。
【００１８】
移動放送局８から送信される信号の周波数帯域幅は、例えば１２ＧＨｚであり、ＴＶキャリア信号のみならず、オーダワイヤ信号をも含む。
【００１９】
オーダワイヤ信号とは、ＴＶキャリア信号よりも、周波数帯域幅が非常に狭く、ＴＶキャリア信号以外に構築されている音声連絡線である。移動放送局８と本局との間で音声連絡がなされる場合、オーダワイヤ信号が使用される。また、オーダワイヤ信号に、別の情報を重畳することも可能である。したがって、移動放送局８は、信号を送信する際に、オーダワイヤ信号に、移動放送局８に付されている識別情報と、測位手段によって測定された位置情報とを重畳する。また、移動放送局８は、ＴＶキャリア信号にも、識別情報と位置情報を重畳することができる。
【００２０】
システム１０は、放送事業者の本局のような固定放送局に設けられており、通信衛星９からの信号を、アンテナ１２において受信する。
【００２１】
アンテナ１２は、この信号を受信機１４へ出力する。
【００２２】
受信機１４によって受信された信号は、必要に応じて偏波（例えば、Ｖ偏波またはＨ偏波）処理された後に、周波数デバイダ１６へ出力される。
【００２３】
周波数デバイダ１６は、受信機１４から出力された信号から、１つのチャンネルの周波数帯域のＴＶキャリア信号を取り出すために、例えば１２ＧＨｚを１ＧＨｚへ分割するように、この信号を周波数分割する。そして、この周波数分割によって取り出された信号を、スペクトルアナライザ１８およびオーダワイヤモデム１９へ出力する。
【００２４】
スペクトルアナライザ１８は、周波数デバイダ１６から出力された信号に対してスペクトル分析を行い、その分析結果である、スペクトル分析されたＴＶキャリア信号ａを、表示制御装置２０へ出力する。なお、スペクトルアナライザ１８は１つに限定されず、複数設けるようにしても良い。複数設けた場合、複数の周波数帯域のＴＶキャリア信号を、同時にスペクトル分析することができる。
【００２５】
オーダワイヤモデム１９は、周波数デバイダ１６から出力された信号から、オーダワイヤ信号ｂを抽出し、表示制御装置２０へ出力する。
【００２６】
図２は、本発明の実施形態の表示制御装置２０の構成例を示すブロック図である。
【００２７】
表示制御装置２０は、入出力インターフェースユニット３０、制御ユニット４０、および記憶ユニット５０を備えている。
【００２８】
入出力インターフェースユニット３０は、スペクトルアナライザ１８から出力されたＴＶキャリア信号ａと、オーダワイヤモデム１９から出力されたオーダワイヤ信号ｂとを受信して、制御ユニット４０へ出力する。また、ユーザインターフェース（ＵＩ）７０を介してなされた、例えば本局のオペレータのようなユーザからの指示情報ｃを、制御ユニット４０へ出力する。また、制御ユニット４０から出力された表示指示ｄをモニタ画面６０へ出力する。
【００２９】
記憶ユニット５０は、記憶媒体として、例えばＳＳＤ（Solid State Drive）やＨＤＤ（Hard Disk Drive）等の随時書き込みおよび読み出しが可能な不揮発性メモリを使用しており、本実施形態を実施するために使用する記憶領域として、ログ情報記憶部５２および地図情報記憶部５４を備えている。
【００３０】
制御ユニット４０は、コンピュータを構成するＣＰＵ（Central Processing Unit）およびプログラムメモリを有し、本実施形態を実施するために必要な制御機能として、復調部４１、取得部４２、および表示制御部４４を備えている。なお、これらの制御機能はいずれも上記プログラムメモリに記憶されたプログラムを上記ＣＰＵに実行させることにより実現される。
【００３１】
復調部４１は、入出力インターフェースユニット３０から出力されたＴＶキャリア信号ａを受信し、ＴＶキャリア信号ａを復調し、ＴＶキャリア信号ａに重畳されている識別情報と位置情報とを取得する。さらに、識別情報と位置情報に、タイムスタンプを加えたログ情報Ａを生成し、ログ情報Ａをログ情報記憶部５２へ記憶させる。
【００３２】
取得部４２は、入出力インターフェースユニット３０から出力されたオーダワイヤ信号ｂを受信し、オーダワイヤ信号ｂに重畳されている識別情報と位置情報とを取得する。さらに、識別情報と位置情報に、タイムスタンプを加えたログ情報Ｂを生成し、ログ情報Ｂをログ情報記憶部５２へ記憶させる。
【００３３】
表示制御部４４は、地図情報記憶部５４に予め記憶されている地図情報Ｍを取得する。また、ユーザインターフェース７０へ入力されたユーザの指示情報ｃに応じて、ログ情報記憶部５２からログ情報を取得する。そして、地図情報Ｍを用いて、ログ情報に含まれる位置情報に対応する位置に、ログ情報に含まれる識別情報が表示された複数の地図を、モニタ画面６０から同時に表示させる。
【００３４】
ログ情報としては、ログ情報Ａ、Ｂの何れを用いることも可能であるが、ログ情報Ｂを用いた場合の方が、ログ情報Ａを用いた場合よりも、リアルタイム性に優れている。
【００３５】
なぜなら、ログ情報Ａから位置情報を取得するためには、復調部４１においてＴＶキャリア信号ａを復調する必要がある。このためには、移動放送局８が、実際にＴＶキャリア信号を送信することが必須となる。ところが、移動放送局８から実際にＴＶキャリア信号の送信が開始されるのは、信号状態の調整等の終了後となるので、移動放送局８がその場所に移動しても、すぐになされる訳ではない。したがって、ログ情報Ａから取得される位置情報は、移動放送局８の移動が完了してからのタイムラグがある。それに対して、オーダワイヤ信号ｂは、常時送信可能であるので、ログ情報Ｂは、移動放送局８の移動とともにリアルタイムで生成することが可能であるからである。
【００３６】
ユーザは、ユーザインターフェース７０を用いて、ログ情報Ａ、Ｂのうちのどちらを使用するかを指示情報ｃにおいて指定し、この指示情報ｃを、表示制御部４４へ送信する。
【００３７】
図３は、モニタ画面６０から２つの地図が同時に表示された例を示す模式図である。
【００３８】
全体地図６２は、すべての移動放送局８の位置を把握するための広い範囲を示す地図であり、ローカル地図６４は、複数の移動放送局８のうちの一部の移動放送局８の位置を把握するための特定のエリアを示す地図である。
【００３９】
全体地図６２には、移動放送局８の識別番号を表示することができるが、移動放送局８の数が多い場合、表示された識別番号が重なって見えにくくなる場合には、例えば車両のアイコンのようなシンボルで表示し、ユーザが、ユーザインターフェース７０に備えられたマウス等によって、対応するアイコンを指定すると、識別番号が表示されるようにしても良い。
【００４０】
ローカル地図６４には、例えば現場付近のような、指定されたエリアに存在する移動放送局８の識別番号が表示されている。
【００４１】
全体地図６２に表示されるエリア、および、ローカル地図６４に表示されるエリアともに、任意に拡大縮小することができる。
【００４２】
なお、このエリアの指定は、例えば、ユーザが、ユーザインターフェース７０に備えられたマウス等を用いて、全体地図６２において所望のエリア６３を指定することによってなされる。また、システム１０の起動時には、デフォルト画面として、例えば固定放送局の所在地に応じたエリア（例えば大都市周辺）が表示されるように指定しても良い。
【００４３】
移動放送局８からの信号が送信されることに伴い、ログ情報記憶部５２には常時新たなログ情報Ａ、Ｂが記憶され、これに応じて、モニタ画面６０上の全体地図６２およびローカル地図６４上における移動放送局８の表示位置も更新されて行く。したがって、ユーザは、モニタ画面６０に表示された全体地図６２およびローカル地図６４を見ることによって、移動放送局８の現時点における位置を把握することができる。
【００４４】
一方、移動放送局８からの信号が途絶えると、ログ情報記憶部５２には新たなログ情報Ａ、Ｂが記憶されなくなる。この状態が予め定めた期間続いた場合、表示制御部４４は、この移動放送局８の識別情報の地図上における表示を終了させる。
【００４５】
それに加えて、表示制御部４４は、過去の任意の時間における全体地図６２およびローカル地図６４をモニタ画面６０から表示する機能も有している。
【００４６】
これを実現するために、表示制御部４４は、分布履歴表示制御部４４ａを備えている。この機能を使用するために、ユーザは、ユーザインターフェース７０から、時間（例えば、過去の具体的な時刻、または、５分前、３０分前、２時間前、２４時間前等）を指定した指定情報ｃを入力し、表示制御装置２０へ出力する。
【００４７】
この指定情報ｃは、表示制御部４４によって受信され、分布履歴表示制御部４４ａへ出力される。分布履歴表示制御部４４ａは、指定情報ｃで指定された内容に該当するタイムスタンプを付されたログ情報をログ情報記憶部５２から取得し、取得したログ情報に基づいて、全体地図６２およびローカル地図６４を、モニタ画面６０から表示させる。これによって、過去に遡った移動放送局８の分布履歴を把握することができる。
【００４８】
さらにそれに加えて、表示制御部４４は、特定の移動放送局８の移動履歴を示すローカル地図６４をモニタ画面６０から表示する機能も備えている。
【００４９】
これを実現するため、表示制御部４４は、移動履歴表示制御部４４ｂを備えている。この機能を利用するために、ユーザは、ユーザインターフェース７０から、移動放送局８の識別情報および期間を指定した指定情報ｃを入力し、表示制御装置２０へ出力する。
【００５０】
この指定情報ｃは、表示制御部４４によって受信され、移動履歴表示制御部４４ｂへ出力される。移動履歴表示制御部４４ｂは、指定情報ｃで指定された識別情報および期間に該当するログ情報をログ情報記憶部５２から取得し、取得したログ情報に基づいて、図４に示すようなローカル地図６４を、モニタ画面６０から表示させる。
【００５１】
図４は、ローカル地図に移動履歴が表示された例を示す模式図である。
【００５２】
図４によって、特定の移動放送局８の移動履歴６５を把握することができる。なお、図４では、簡略のために、１つの移動放送局８の移動履歴６５しか示していないが、指定情報ｃに、複数の移動放送局８を指定することによって、複数の移動放送局８の移動履歴６５を、ローカル地図６４に同時に表示することもできる。また、移動履歴６５を、全体地図６２上に表示することもできる。
【００５３】
次に、以上のように構成した本実施形態の表示制御装置２０の動作について説明する。
【００５４】
複数の移動放送局８から、通信衛星９を経由して、システム１０へ向けて信号が送信される。移動放送局８には、それぞれ車両番号のような固有の識別情報が付されている。また、ＧＰＳ受信機のような測位手段が備えられている。
【００５５】
移動放送局８から送信される信号には、ＴＶキャリア信号のみならず、オーダワイヤ信号も含まれる。オーダワイヤ信号には、移動放送局８に付されている識別情報と、測位手段によって測定された位置情報とが重畳されている。また、ＴＶキャリア信号にも、識別情報と位置情報を重畳して良い。
【００５６】
システム１０では、通信衛星９からの信号が、アンテナ１２において受信され、アンテナ１２から受信機１４へ出力され、受信機１４において、必要に応じて偏波（例えば、Ｖ偏波またはＨ偏波）処理された後に、周波数デバイダ１６へ出力される。
【００５７】
周波数デバイダ１６では、受信機１４から出力された信号に対して周波数分割がなされ、１つの周波数帯域のＴＶキャリア信号が取り出され、スペクトルアナライザ１８およびオーダワイヤモデム１９へ出力される。
【００５８】
スペクトルアナライザ１８では、周波数デバイダ１６から出力された信号に対してスペクトル分析がなされ、その分析結果であるＴＶキャリア信号ａが、表示制御装置２０へ出力される。
【００５９】
オーダワイヤモデム１９では、周波数デバイダ１６から出力された信号から、オーダワイヤ信号ｂが抽出され、表示制御装置２０へ出力される。
【００６０】
図５は、本発明の実施形態の表示制御装置の動作例を示すフローチャートである。
【００６１】
スペクトルアナライザ１８から出力されたＴＶキャリア信号ａは、入出力インターフェースユニット３０によって受信され、復調部４１へ出力され、復調部４１において、復調され、ＴＶキャリア信号ａに重畳されている識別情報と位置情報とが取得される。さらに、識別情報と位置情報に、タイムスタンプを加えたログ情報Ａが生成され、ログ情報記憶部５２へ出力され、ログ情報記憶部５２に記憶される（Ｓ１）。
【００６２】
オーダワイヤモデム１９から出力されたオーダワイヤ信号ｂは、入出力インターフェースユニット３０によって受信され、取得部４２へ出力され、取得部４２において、オーダワイヤ信号ｂに重畳されている識別情報と位置情報とが取得される。さらに、識別情報と位置情報に、タイムスタンプを加えたログ情報Ｂが生成され、ログ情報記憶部５２へ出力され、ログ情報記憶部５２に記憶される（Ｓ２）。
【００６３】
なお、図５では、ステップＳ１の後にステップＳ２が示されているが、これは必ずしも、ステップＳ１の後にステップＳ２が実行されることには限定されず、ステップＳ１とステップＳ２とが同時に実行されることも、ステップＳ１が実行されず、ステップＳ２のみが実行されることも、ステップＳ１の前にステップＳ２が実行されることもある。
【００６４】
次に、表示制御部４４によって、地図情報記憶部５４から地図情報Ｍが取得される（Ｓ３）。また、入力されたユーザの指示情報ｃに応じて、表示制御部４４によって、ログ情報記憶部５２からログ情報Ａまたはログ情報Ｂの何れかが取得される（Ｓ４）。
【００６５】
表示制御部４４では、地図情報Ｍと、ログ情報とが用いられることによって、ログ情報に含まれる位置情報に対応する位置に、ログ情報に含まれる識別情報が表示された複数の地図６２、６４のように、２つの地図がモニタ画面６０から同時に表示される（Ｓ５）。
【００６６】
全体地図６２は、すべての移動放送局８の位置を把握するための広い範囲を示す地図であり、ローカル地図６４は、複数の移動放送局８のうちの一部の移動放送局８の位置を把握するための特定のエリアを示す地図である。
【００６７】
なお、ローカル地図６４から表示されるエリアの指定は、例えば、ユーザが、ユーザインターフェース７０に備えられたマウス等を用いて、全体地図６２において所望のエリア６３を指定することによってなされる。
【００６８】
移動放送局８から信号が送信されることに伴い、ログ情報記憶部５２には常時新たなログ情報Ａ、Ｂが記憶され、これに応じて、モニタ画面６０上の全体地図６２およびローカル地図６４上における移動放送局８の表示位置も更新されて行くので、ユーザは、モニタ画面６０に表示された全体地図６２およびローカル地図６４を見ることによって、移動放送局８の現時点における位置を把握することができる。
【００６９】
また、表示制御部４４の分布履歴表示制御部４４ａによれば、ユーザによって指定された時間（例えば、過去の具体的な時刻、または、５分前、３０分前、２時間前、２４時間前等）に基づいて、該当するタイムスタンプを付されたログ情報がログ情報記憶部５２から取得され、取得されたログ情報に基づいて、全体地図６２およびローカル地図６４が、モニタ画面６０から表示される。これによって、過去に遡って、移動放送局８の分布履歴を把握することができる。
【００７０】
さらに、表示制御部４４の移動履歴表示制御部４４ｂによれば、ユーザによって指定された特定の移動放送局８および指定期間に基づいて、該当するログ情報がログ情報記憶部５２から取得され、取得されたログ情報に基づいて、図４に示すようなローカル地図６４が、モニタ画面６０から表示される。これによって、特定の移動放送局８の移動履歴６５を把握することができる。
【００７１】
上述したように、本実施形態の表示制御方法が適用された表示制御装置によれば、すべての移動放送局８の位置が表示された全体地図６２と、一部の移動放送局８の位置が表示されたローカル地図６４とを、モニタ画面６０から同時に表示することができる。しかも、この表示は、リアルタイムの状態を対象とすることも、過去の任意の時点における状態を対象とすることも可能である。また、特定の移動放送局８の移動履歴を表示させることもできる。
【００７２】
これらによって、オペレータは、各移動放送局８の現在の位置のみならず、過去の任意の時点における位置さえも、視覚的に容易に把握することが可能となる。
【００７３】
したがって、例えば事件が発生し、何れかの移動放送局を、直ちに現場へ急行させる必要性が生じた場合、オペレータは、急行させるべき移動放送局を、容易に、かつ適切に決定できるようになる。
【００７４】
（変形例１）
上記実施形態では、図３に示すように、モニタ画面６０から２つの地図６２、６４が同時に表示される例について説明したが、本発明の表示制御装置２０は、同時に表示される地図は２つに限定されるものではなく、３つ以上の地図を同時に表示するようにしても良い。例えば、１つの全体地図６２の他に、２つ以上のローカル地図６４を表示することによって、第１のエリアにおける移動放送局８の位置と、第２のエリアにおける各移動放送局８の位置とを同時に表示することができる。
【００７５】
また、表示のレイアウトも、図３に例示されるものに限定されず、全体地図６２の中に、部分画面として、ローカル地図６４を配置しても良い。また、前述したように、２つ以上のローカル地図６４を表示する場合、第１のエリアのローカル地図６４と、第２のエリアのローカル地図６４とを切換表示するようにしても良い。
【００７６】
（変形例２）
移動放送局８の位置を地図上に示すために、単に識別情報を表示するだけではなく、移動放送局８のステータスの違いに応じて、表示方式を変えて表示することによって、付加的な情報を提供することも可能となる。
【００７７】
例えば、復調部４１がＴＶキャリア信号ａを受信することで、現在、ＴＶキャリア信号を送信している移動放送局８を把握し、表示制御部４４は、ローカル地図６４から、この移動放送局８の識別番号を赤で表示し、それ以外の移動放送局８の識別番号を赤以外の色で表示する。これによって、移動放送局８の位置情報のみならず、どの移動放送局８が現在、ＴＶキャリア信号を送信しているのかを把握することが可能となる。
【００７８】
また、別の例として、ＸＰＤ測定が終了した移動放送局を、赤で表示し、未終了のものを黒で表示するようにしても良い。
【００７９】
このように、移動放送局８のステータスの違いに応じて、表示方式を変えて表示することによって、様々な付加情報を提供することも可能となる。
【００８０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８１】
８  移動放送局、９  通信衛星、１０  システム、１２  アンテナ、１４  受信機、
１６  周波数デバイダ、１８  スペクトルアナライザ、１９  オーダワイヤモデム、
２０  表示制御装置、３０  入出力インターフェースユニット、４０  制御ユニット
４１  復調部、４２  取得部、４４  表示制御部、４４ａ  分布履歴表示制御部、
４４ｂ  移動履歴表示制御部、５０  記憶ユニット、５２  ログ情報記憶部、
５４  地図情報記憶部、６０  モニタ画面、６２  全体地図、６３  所望のエリア、
６４  ローカル地図、６５  移動履歴、７０  ユーザインターフェース。
【図１】
2019092047.tif 000003
【図２】
2019092047.tif 000004
【図３】
2019092047.tif 000005
【図４】
2019092047.tif 000006
【図５】
2019092047.tif 000007